(57)【要約】【課題】コンテンツ購入者が簡単に素早く安価に必要な情報を得ることができ、またコンテンツ提供者が正当な対価を得ることができる印刷物販売システム、印刷物販売装置、印刷物販売方法、印刷物販売プログラムを提供することを目的とする。【解決手段】印刷物販売装置が、コンテンツとコンテンツの属性情報が保管されたコンテンツ提供サーバから属性情報を取得し、コンテンツ購入者へ提供する。コンテンツ購入者により選択された属性情報に対応したコンテンツをコンテンツ提供サーバより取得し、販売物として印刷する。【選択図】図５
2009238169.tif 000002
【特許請求の範囲】
【請求項１】
コンテンツと前記コンテンツ毎の属性情報とが格納されたコンテンツ提供サーバと、前記コンテンツ提供サーバと接続された印刷物販売装置とを含む印刷物販売システムであって、
前記印刷物販売装置は、
前記コンテンツ提供サーバに格納された前記属性情報を取得する属性情報取得手段と、
前記属性情報を表示装置に表示させる表示制御手段と、
表示された前記属性情報から所定の属性情報が選択されたことを受け付ける受付手段と、
選択された前記所定の属性情報と対応したコンテンツを前記コンテンツ提供サーバから取得するコンテンツ取得手段と、
取得した前記コンテンツが印刷された印刷物を販売物として出力する出力手段とを有する印刷物販売システム。
【請求項２】
コンテンツと前記コンテンツの属性情報とが格納されたコンテンツ提供サーバと接続された印刷物販売装置であって、
前記コンテンツ提供サーバに格納された前記属性情報を取得する属性情報取得手段と、
前記属性情報を表示装置に表示させる表示制御手段と、
表示された前記属性情報から所定の属性情報が選択されたことを受け付ける受付手段と、
選択された前記所定の属性情報と対応したコンテンツを前記コンテンツ提供サーバから取得するコンテンツ取得手段と、
取得した前記コンテンツが印刷された印刷物を販売物として出力する出力手段とを有する印刷物販売装置。
【請求項３】
前記印刷物の出力履歴を管理する出力履歴管理手段と、
前記出力履歴に基づき、前記出力手段により出力された印刷物に対して課金される金額を集計する集計手段を有する請求項２記載の印刷物販売装置。
【請求項４】
当該印刷物販売装置は、前記印刷物の販売に係る課金の管理を行う課金管理装置と接続されおり、
前記課金管理装置へ、前記選択手段により選択された前記所定の属性情報を送信する送信手段を有する請求項２記載の印刷物販売装置。
【請求項５】
前記属性情報に含まれる前記コンテンツの価格を示す情報に基づき、前記価格を示す画像データを生成する手段を有し、
前記出力手段は、前記画像データと前記コンテンツとが印刷された印刷物を出力する請求項２乃至４の何れか一項に記載の印刷物販売装置。
【請求項６】
前記出力手段により出力される販売物に対する支払いを受け付ける手段を有する請求項２乃至５の何れか一項に記載の印刷物販売装置。
【請求項７】
選択された前記所定の属性情報に基づき、コンテンツの中から前記コンテンツの一部を選択させるための画像データを生成する生成手段と、
前記生成手段により生成された画像データが印刷された用紙に記入された選択結果に基づき、前記選択結果に対応したコンテンツの一部を取得する取得手段とを有する請求項２乃至６の何れか一項に記載の印刷物販売装置。
【請求項８】
前記表示装置に表示されたコンテンツにおいて、前記コンテンツの中の所定範囲を選択させる選択手段と、
前記選択手段により選択された所定範囲を前記コンテンツから抽出する抽出手段とを有する請求項２乃至７の何れか一項に記載の印刷物販売装置。
【請求項９】
現在の日付を示す情報と、予め登録された所定のコンテンツの属性情報に含まれる発行日を示す情報とを照合する照合手段を有し、
前記コンテンツ取得手段は、前記照合手段による照合結果に基づき前記コンテンツ提供サーバからコンテンツを取得する請求項２乃至８の何れか一項に記載の印刷物販売装置。
【請求項１０】
前記属性情報に基づき、前記コンテンツに地紋パターンを重畳させる処理を行う地紋処理手段を有する請求項２乃至９の何れか一項に記載の印刷物販売装置。
【請求項１１】
前記属性情報に基づき、前記印刷物に対する仕上げ処理の実行指示を前記出力手段に対して行う仕上げ処理手段を有する請求項２乃至１０の何れか一項に記載の印刷物販売装置。
【請求項１２】
コンテンツと前記コンテンツの属性情報とが格納されたコンテンツ提供サーバと接続された印刷物販売装置による印刷物販売方法であって、
前記コンテンツ提供サーバに格納された前記属性情報を取得する属性情報取得手順と、
前記属性情報を表示装置に表示させる表示制御手順と、
表示された前記属性情報から所定の属性情報が選択されたことを受け付ける受付手順と、
選択された前記所定の属性情報と対応したコンテンツを前記コンテンツ提供サーバから取得するコンテンツ取得手順と、
取得した前記コンテンツが印刷された印刷物を販売物として出力する出力手順とを有する印刷物販売方法。
【請求項１３】
コンテンツと前記コンテンツの属性情報とが格納されたコンテンツ提供サーバと接続された印刷物販売装置において実行される印刷物販売プログラムであって、
前記印刷物販売装置に、
前記コンテンツ提供サーバに格納された前記属性情報を取得する属性情報取得ステップと、
前記属性情報を表示装置に表示させる表示制御ステップと、
表示された前記属性情報から所定の属性情報が選択されたことを受け付ける受付ステップと、
選択された前記所定の属性情報と対応したコンテンツを前記コンテンツ提供サーバから取得するコンテンツ取得ステップと、
取得した前記コンテンツが印刷された印刷物を販売物として出力する出力ステップとを実行させる印刷物販売プログラム。
【発明の詳細な説明】
【技術分野】
【０００１】
本発明は、印刷物の販売を行う印刷物販売システム、印刷装置、印刷物販売方法、印刷物販売プログラムに関する。
【背景技術】
【０００２】
近年は新聞、雑誌、テレビ、インターネットなど各種メディアから膨大な情報（コンテンツ）が発信されており、公開された情報であれば誰でも種々の情報を様々なメディアから入手することができる。しかしながら、現在の各種メディアでは、以下のような欠点がある。
【０００３】
例えば、新聞や雑誌などの印刷メディアでは大部分の読者は掲載されている情報のうち自分が興味のある一部のものしか読まない。従って紙資源の無駄が発生し、不要なコストを購入者に強いる。これは定期購読する場合に特に顕著である。また印刷メディアは、定期購読契約をして配達してもらう場合を除き、読者が印刷物の販売店等に購入に行かなければならず迅速な情報の入手ができない。またテレビやラジオなどの放送メディアでは、情報選択の自由度が低く、時間的制約も多い。また放送メディアはその性質上、情報を保管する方法が繁雑である。
【０００４】
インターネットでは情報選択の自由度は高く、また情報の保管も比較的容易である。しかしながら情報を得るための検索に手間がかかることや重要な情報を見逃すことが多い。また、インターネッによる情報の提供は、情報を提供する側であるコンテンツ提供者にとって収益性に乏しいため、価値のある情報は紙媒体や電子媒体等により有料で提供されることが多い。例えば特許文献１には、通信網を介してコンテンツを印刷物として速やかに提供するコンテンツ販売方式が記載されている。
【特許文献１】特開２００２−２５９８３５号公報
【発明の開示】
【発明が解決しようとする課題】
【０００５】
上記したように、現状では膨大な情報が氾濫しているため、情報の購入者にとって必要な情報を探し出すのに多くの労力がかかり、また本当に必要な情報を見逃すことも多い。さらに現在の各種メディアでは、コンテンツ提供者の著作権を侵害する違法コピーが流出する場合があり、この場合コンテンツ提供者が正当な対価を得られない。
【０００６】
本発明は、上記事情を鑑みてこれを解決すべく成されたものであり、コンテンツ購入者が簡単に素早く安価に必要な情報を得ることができ、またコンテンツ提供者が正当な対価を得ることができる印刷物販売システム、印刷物販売装置、印刷物販売方法、印刷物販売プログラムを提供することを目的とするものである。
【課題を解決するための手段】
【０００７】
本発明は、上記目的を達成するために、以下の如き構成を採用した。
【０００８】
本発明は、コンテンツと前記コンテンツ毎の属性情報とが格納されたコンテンツ提供サーバと、前記コンテンツ提供サーバと接続された印刷物販売装置とを含む印刷物販売システムであって、前記印刷物販売装置は、前記コンテンツ提供サーバに格納された前記属性情報を取得する属性情報取得手段と、前記属性情報を表示装置に表示させる表示制御手段と、表示された前記属性情報から所定の属性情報が選択されたことを受け付ける受付手段と、選択された前記所定の属性情報と対応したコンテンツを前記コンテンツ提供サーバから取得するコンテンツ取得手段と、取得した前記コンテンツが印刷された印刷物を販売物として出力する出力手段とを有する構成とした。
【０００９】
本発明は、コンテンツと前記コンテンツの属性情報とが格納されたコンテンツ提供サーバと接続された印刷物販売装置であって、前記コンテンツ提供サーバに格納された前記属性情報を取得する属性情報取得手段と、前記属性情報を表示装置に表示させる表示制御手段と、表示された前記属性情報から所定の属性情報が選択されたことを受け付ける受付手段と、選択された前記所定の属性情報と対応したコンテンツを前記コンテンツ提供サーバから取得するコンテンツ取得手段と、取得した前記コンテンツが印刷された印刷物を販売物として出力する出力手段とを有する構成とした。
【００１０】
本発明は、コンテンツと前記コンテンツの属性情報とが格納されたコンテンツ提供サーバと接続された印刷物販売装置による印刷物販売方法であって、前記コンテンツ提供サーバに格納された前記属性情報を取得する属性情報取得手順と、前記属性情報を表示装置に表示させる表示制御手順と、表示された前記属性情報から所定の属性情報が選択されたことを受け付ける受付手順と、選択された前記所定の属性情報と対応したコンテンツを前記コンテンツ提供サーバから取得するコンテンツ取得手順と、取得した前記コンテンツが印刷された印刷物を販売物として出力する出力手順とを有する方法とした。
【００１１】
本発明は、コンテンツと前記コンテンツの属性情報とが格納されたコンテンツ提供サーバと接続された印刷物販売装置において実行される印刷物販売プログラムであって、前記印刷物販売装置に、前記コンテンツ提供サーバに格納された前記属性情報を取得する属性情報取得ステップと、前記属性情報を表示装置に表示させる表示制御ステップと、表示された前記属性情報から所定の属性情報が選択されたことを受け付ける受付ステップと、選択された前記所定の属性情報と対応したコンテンツを前記コンテンツ提供サーバから取得するコンテンツ取得ステップと、取得した前記コンテンツが印刷された印刷物を販売物として出力する出力ステップとを実行させるプログラムとした。
【発明の効果】
【００１２】
本発明によれば、コンテンツ購入者が簡単に素早く安価に必要な情報を得ることができ、またコンテンツ提供者が正当な対価を得ることができる。
【発明を実施するための最良の形態】
【００１３】
本発明では、印刷物販売装置が、コンテンツとコンテンツの属性情報が保管されたコンテンツ提供サーバから属性情報を取得し、コンテンツ購入者（以下、購入者）へ提供する。そして購入者により選択された属性情報に対応したコンテンツをコンテンツ提供サーバより取得し、販売物として印刷する。
【００１４】
以下に、図１を参照して本発明の概要を説明する。図１は、本発明の基本的なシステム構成を示す図である。
【００１５】
本発明の印刷物販売システム１００は、コンテンツ提供サーバ２００と印刷物販売装置３００とがインターネット等の公衆通信網であるネットワーク４００を介して接続されて構成されている。印刷物販売システム１００では、印刷物販売装置３００において購入者から印刷物の購入指示が成されると、コンテンツ提供サーバ２００から購入者の所望するコンテンツを取得する。印刷物販売装置３００は、取得したコンテンツを販売対象の印刷物として出力し、購入者にコンテンツを販売する。
【００１６】
以下に、コンテンツ提供サーバ２００と印刷物販売装置３００のハードウェア構成について説明する。図２は、コンテンツ提供サーバ２００のハードウェア構成の一例を示す図である。
【００１７】
コンテンツ提供サーバ２００は、それぞれバスＢで相互に接続されている入力装置２１、出力装置２２、ドライブ装置２３、補助記憶装置２４、メモリ装置２５、演算処理装置２６およびインターフェース装置２７で構成される。
【００１８】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム、ＬＡＮカードなどで構成されており、ネットワーク４００に接続する為に用いられる。
【００１９】
図３は、印刷物販売装置３００のハードウェア構成の一例を示す図である。
【００２０】
印刷物販売装置３００は、それぞれバスＢで相互に接続されている入力装置３１、出力装置３２、ドライブ装置３３、補助記憶装置３４、メモリ装置３５、演算処理装置３６およびインターフェース装置３７で構成される。
【００２１】
入力装置３１は、画像データが入力される装置であり、例えば紙原稿等の読み取りを行うスキャン装置等である。出力装置３２は入力された情報を印刷物として出力するための装置である。出力装置３２は、例えばプロッタ装置等である。インターフェース装置３７は、モデム、ＬＡＮカードなどで構成されており、ネットワーク４００に接続する為に用いられる。操作パネル３８は、印刷物販売装置３００の操作を行うためのものであり、例えば表示機能を有するタッチパネル等により実現される。
【００２２】
本発明の印刷物販売プログラムは、印刷物販売装置３００を制御する各種プログラムの少なくとも一部である。印刷物販売プログラムは例えば記録媒体３９の配布やネットワーク４００からのダウンロードなどによって提供される。印刷物販売プログラムを記録した記録媒体３９は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２３】
また、印刷物販売プログラムを記録した記録媒体３９がドライブ装置３３にセットされると、印刷物販売プログラムは記録媒体３９からドライブ装置３３を介して補助記憶装置３４にインストールされる。ネットワーク４００からダウンロードされた印刷物販売プログラムは、インターフェース装置３７を介して補助記憶装置３４にインストールされる。
【００２４】
印刷物販売装置３００は、インストールされた印刷物販売プログラムを格納すると共に、必要なファイル，データ等を格納する。メモリ装置３５は、コンピュータの起動時に補助記憶装置３４から印刷物販売プログラムを読み出して格納する。そして、演算処理装置３６はメモリ装置３５に格納された印刷物販売プログラムに従って、後述するような各種処理を実現している。
（第一の実施形態）
以下に図面を参照して本発明の第一の実施形態について説明する。図４は、第一の実施形態の印刷物販売システム１００を構成する装置の機能構成を示す図である。
【００２５】
始めに、本実施形態のコンテンツ提供サーバ２００について説明する。
【００２６】
本実施形態のコンテンツ提供サーバ２００は、データベース２１０を有する。データベース２１０には、印刷物販売装置３００を介して購入者に販売されるコンテンツと、このコンテンツの属性情報が格納されている。コンテンツは、コンテンツ提供者により予めデータベース２１０に登録されている。属性情報は、コンテンツがデータベース２１０に登録されたとき、コンテンツ提供サーバ２００が自動的に作成して、コンテンツとの対応付けを行っても良い。また属性情報は、コンテンツ提供者がデータベース２１０にコンテンツを登録する際に、コンテンツと対応付けられて登録されても良い。
【００２７】
データベース２１０は、例えば図２に示す補助記憶装置２４内に設けられていても良い。またデータベース２１０は、コンテンツ提供サーバ２００の外部に設けられており、コンテンツ提供サーバ２００と適切な方法で接続されていても良い。
【００２８】
データベース２１０に格納されたコンテンツとは、具体的には、ニュース、レジャー情報、グルメ情報、エンターテイメント、文芸、天気予報、学術情報、各種地図、占いなど紙に印刷できるあらゆる情報である。また本実施形態の印刷物とは、例えば有機ＥＬ（electroluminescence）などのリライタブルシートも含む。
【００２９】
データベース２１０に格納された属性情報とは、個々のコンテンツに付随する情報をまとめた情報である。属性情報は、具体的には例えば、コンテンツの名称、目次、概要、著作者、発行日、日刊、月間、単行等の発行形態、価格等を含む情報である。属性情報は、コンテンツと対応付けられてデータベース２１０内に格納されている。
【００３０】
本実施形態のコンテンツ提供サーバ２００は、指示受付部２２０、コンテンツ検索部２３０、送信履歴管理部２４０を有する。上記各部の機能は、コンテンツ提供サーバ２００にインストールされたプログラムが演算処理装置２６に読み出されて実行されることにより実現される。
【００３１】
指示受付部２２０は、印刷物販売装置３００からの各種の指示を受け付ける。コンテンツ検索部２３０は、印刷物販売装置３００において選択された属性情報と対応するコンテンツをデータベース２１０から検索する。送信履歴管理部２４０は、コンテンツ提供サーバ２００におけるコンテンツの送信履歴を管理する。
【００３２】
次に本実施形態の印刷物販売装置３００について説明する。
【００３３】
本実施形態の印刷物販売装置３００は、属性情報取得部３１０、表示制御部３２０、購入指示受付部３３０、コンテンツ取得部３４０、出力履歴管理部３５０、集計部３６０、請求処理部３７０、地紋処理部３８０、仕上げ処理部３９０を有する。上記各部の機能は、印刷物販売装置３００にインストールされたプログラムが演算処理装置３６に読み出されて実行されることにより実現される。
【００３４】
属性情報取得部３１０は、コンテンツ提供サーバ２００から属性情報を取得する。表示制御部３２０は、属性情報取得部３１０により取得された属性情報を操作パネル３８に表示させる。また表示制御部３２０は、上記各部の機能に合わせて、操作パネル３８の表示を制御する。購入指示受付部３３０は、操作パネル３８に表示された属性情報から所定の属性情報が選択されたとき、これをコンテンツの購入指示として受け付ける。
【００３５】
コンテンツ取得部３４０は、選択された所定の属性情報に対応したコンテンツをコンテンツ提供サーバ２００から取得する。出力履歴管理部３５０は、印刷物販売装置３００から印刷物を出力する際の出力履歴を管理する。出力履歴とは、具体的には例えば、コンテンツの種類、印刷部数、印刷枚数、印刷物の価格等である。集計部３６０は、出力履歴管理部３５０により管理される出力履歴に基づき、印刷物に対して課金される金額（以下、販売価格）の集計を行う。請求処理部３７０は、購入者に対し、集計された販売価格の請求処理を行う。
【００３６】
地紋処理部３８０は、印刷されるコンテンツに対し地紋印刷が指定されているか否かを判定し、地紋印刷の対象となる場合には地紋パターンを生成する。尚本実施形態では、地紋印刷が指定されているか否かを示す情報は、属性情報に含まれていても良い。本実施形態では、地紋処理が行われた場合には、印刷されるコンテンツに地紋パターンが重畳されて印刷される。
【００３７】
仕上げ処理部３９０は、コンテンツを印刷物として出力する際に、仕上げ設定がされているか否かを判定し、仕上げ設定がされている場合には出力装置３２へ仕上げ処理の指示を行う。本実施形態では、仕上げ設定は、購入者により操作パネル３８において設定されても良い。本実施形態における仕上げ設定とは、具体的には例えば、片面／両面指定、両面出力時の各種製本方法、集約方法(例：２ページを１ページに集約)、変倍率(例：Ａ４からＢ５)、複数部出力時のソート、ステープラによる各種綴じ方法(綴じの位置や数)、紙折り種の指定(中折、Ｚ折りなど)、パンチ指定等である。
【００３８】
次に図５を参照して本実施形態の印刷物販売システム１００における印刷物の販売動作について説明する。図５は、第一の実施形態の印刷物販売システム１００の動作を説明するフローチャートである。
【００３９】
印刷物販売装置３００において、属性情報取得部３１０は、コンテンツ提供サーバ２００へアクセスし、データベース２１０から属性情報を取得する（Ｓ５０１）。尚属性情報取得部３１０が取得する属性情報は、コンテンツ提供サーバ２００が提供可能（購入者が購入可能）な個々のコンテンツの属性情報である。印刷物販売装置３００において、属性情報が取得されると、表示制御部３２０は取得した属性情報を操作パネル３８へ表示させる（Ｓ５０２）。
【００４０】
本実施形態の印刷物販売装置３００では、Ｓ５０２に示すように、操作パネル３８に購入可能なコンテンツの属性情報が表示された状態を定常状態としても良い。この場合印刷物販売装置３００は、いつでも印刷物の販売が行える状態となっている。
【００４１】
印刷物販売装置３００において、購入者により、操作パネル３８に表示された属性情報から購入したいコンテンツに対応する属性情報が選択されると、購入指示受付部３３０は購入指示を受け付ける（Ｓ５０３）。
【００４２】
購入指示受付部３３０が購入指示を受け付けると、この購入指示はコンテンツ提供サーバ２００へ送信される。コンテンツ提供サーバ２００では、指示受付部２２０が購入指示を受け付けて、コンテンツ検索部２３０により、選択された属性情報に対応するコンテンツを検索する（Ｓ５０４）。そしてコンテンツ提供サーバ２００は、検索結果のコンテンツを印刷物販売装置３００へ送信する。このときコンテンツ提供サーバ２００は、送信履歴管理部２４０により、送信したコンテンツの種類、部数、送信日時等を送信履歴として管理する。
【００４３】
印刷物販売装置３００は、コンテンツ取得部３４０により、コンテンツ提供サーバ２００から送信されたコンテンツを取得する（Ｓ５０５）。ここで地紋処理部３８０は、Ｓ５０３で選択された属性情報に基づき、取得したコンテンツに対する地紋印刷が指示されているか否かを判定する（Ｓ５０６）。具体的には地紋処理部３８０は、属性情報に含まれる地紋印刷の指示の有無を示すフラグを参照し、このフラグがオンになっていた場合に地紋印刷が指定されたものと判定する。
【００４４】
Ｓ５０６において、地紋印刷が指示されていると判定された場合、地紋処理部３８０は、地紋パターンデータを生成する（Ｓ５０７）。尚本実施形態の印刷物販売装置３００では、補助記憶装置３４等に地紋パターンデータが予め登録されていても良く、補助記憶装置３４等から読み出した地紋パターンデータを使用しても良い。
【００４５】
次に印刷物販売装置３００では、仕上げ処理部３９０により、仕上げ設定がされているか否かを判定する（Ｓ５０８）。Ｓ５０８において、仕上げ設定がされていると判定された場合、仕上げ処理部３９０は、出力装置３２に対して設定に従った仕上げ処理の指示を行う（Ｓ５０９）。
【００４６】
そして印刷物販売装置３００は、取得したコンテンツを印刷した印刷物を販売物として出力装置３２から出力する（Ｓ５１０）。印刷物販売装置３００において印刷物が出力されると、出力履歴管理部３５０は、出力された印刷物に印刷されたコンテンツの種類、価格、印刷部数、印刷枚数、印刷日時等を出力履歴として取得し、管理する。
【００４７】
次に印刷物販売装置３００において、集計部３６０は、出力履歴に基づき、出力された印刷物の販売価格を集計する（Ｓ５１１）。このとき集計部３６０は、コンテンツ提供サーバ２００へアクセスし、送信履歴管理部２４０により管理されているコンテンツの送信履歴と出力履歴とを整合した後に集計を行うものとした。印刷物販売装置３００は、請求処理部３７０により、集計部３６０により集計された販売価格を購入者に請求する（Ｓ５１２）。尚本実施形態の請求処理部３７０では、操作パネル３８に集計された販売金額を購入者に対する請求額として表示させて、購入者に支払いを促しても良い。
【００４８】
このように本実施形態では、購入者が選択した所望のコンテンツのみを印刷物として販売する。よって本実施形態では、購入者が簡単に素早く安価に必要な情報を得ることができ、またコンテンツ提供者が正当な対価を得ることができる。
【００４９】
尚本実施形態のコンテンツ提供サーバ２００では、データベース２１０においてコンテンツの追加、更新、削除等の変化があった場合には、属性情報もこの変化に合わせて変化するものとした。具体的には例えば、コンテンツ提供者等により新たなコンテンツがデータベース２１０に追加された場合、追加された属性情報が作成されてデータベース２１０に格納される。またデータベース２１０からコンテンツが削除された場合、削除されたコンテンツと対応する属性情報も削除される。
【００５０】
また本実施形態の印刷物販売装置３００は、コンテンツ提供サーバ２００のデータベース２１０を監視するものとした。本実施形態の印刷物販売装置３００では、データベース２１０に格納された属性情報が更新されると、操作パネル３８に表示される属性情報を更新する。本実施形態では、データベース２１０内の属性情報の更新と、操作パネル３８に表示される属性情報の更新とが同期して行われることが好ましい。
【００５１】
また本実施形態の印刷物販売装置３００は、例えばコンビニエンスストア等の店舗に設置された複合機等により実現しても良い。この場合、例えば旅行者等がコンビニエンスストア等を訪れた際に、その地域の旅行雑誌の出版社等により管理されるコンテンツ提供サーバに保管された観光地のコンテンツ等を簡単に安価で入手することができる。また本実施形態の印刷物販売装置３００は、駅構内の店舗等に設置された複合機等により実現されても良い。この場合、例えば駅の利用者が、新聞社等により管理されるコンテンツ提供サーバに保管された新聞記事のうち所望の記事等をコンテンツとして簡単に安価で入手することができる。
【００５２】
また本実施形態では、属性情報に基づきコンテンツに地紋印刷が指示されているか否か判定する。そして地紋印刷が指定されているコンテンツには、地紋処理を施して印刷する。よって本実施形態では、コンテンツの提供者の著作権保護を容易に行うことができる。
【００５３】
また本実施形態では、購入者により仕上げ設定がされた場合に設定通りの仕上げ処理を行うことができる。よって本実施形態では、例えばコンテンツを縮小印刷して可搬性を向上させたり、視力の弱い方が拡大して出力すること等が可能となり、購入者が希望する形式で印刷物を入手できる。
（第二の実施形態）
以下に図面を参照して本発明の第二の実施形態について説明する。第二の実施形態では、印刷物の課金に係る課金管理装置が別途設けられた点が第一の実施形態と相違する。よって以下の第二の実施形態の説明では、第一の実施形態の相違点についてのみ説明し、第一の実施形態と同様の機能構成を有するものに第一の実施形態の説明で用いた符号と同様の符号を付与し、説明を省略する。
【００５４】
図６は、第二の実施形態の印刷物販売システム１００Ａのシステム構成及び各装置の機能構成を示す図である。本実施形態の印刷物販売システム１００Ａは、コンテンツ提供サーバ２００、印刷物販売装置３００Ａ、課金管理装置５００により構成される。
【００５５】
本実施形態では、第一の実施形態の印刷物販売装置３００の有する印刷物の販売価格の集計処理や請求処理を独立して行う課金管理装置５００を有する構成とした。本実施形態の印刷物販売装置３００Ａは、属性情報取得部３１０、表示制御部３２０、購入指示受付部３３０、コンテンツ取得部３４０、地紋処理部３８０、仕上げ処理部３９０を有する。
【００５６】
本実施形態の課金管理装置５００は、記憶装置と演算処理装置とを有する一般のコンピュータ等により実現される。課金管理装置５００は、販売記録情報が格納されて保管されるデータベース５１０を有する。また本実施形態の課金管理装置５００は、第一の実施形態の印刷物販売装置３００の有する出力履歴管理部３５０Ａ、集計部３６０Ａ、請求処理部３７０Ａと、販売記録管理部５２０を有する。
【００５７】
販売記録管理部５２０は、集計部３６０Ａにより集計された販売価格や、出力履歴管理部３５０Ａにより管理される出力履歴に基づき、販売記録情報を作成し、データベース５１０に格納する。尚本実施形態では、印刷物販売装置３００Ａとコンテンツ提供サーバ２００は、課金管理装置５００へアクセスして、データベース５１０に格納された販売記録情報を参照することができる。
【００５８】
具体的にはコンテンツ提供サーバ２００においてコンテンツ提供者（販売者）により販売記録情報の閲覧が要求されると、コンテンツ提供サーバ２００は課金管理装置５００へアクセスし、販売記録情報をディスプレスイ等に表示させることができる。また印刷物販売装置３００Ａは、例えば操作パネル３８から購入者により販売記録情報の閲覧指示がなされると、課金管理装置５００へアクセスして操作パネル３８へ販売記録情報を表示させることができる。
【００５９】
以下に図７を参照して印刷物販売システム１００Ａの動作について説明する。図７は、第二の実施形態の印刷物販売システム１００Ａの動作を説明するフローチャートである。印刷物販売システム１００Ａは、印刷物販売装置３００Ａが属性情報を取得した後に、取得した属性情報を課金管理装置５００へ送信する点、印刷物の出力後の処理を課金管理装置５００が実行する点のみが第一の実施形態と相違する。
【００６０】
本実施形態の印刷物販売装置３００Ａは、コンテンツ提供サーバ２００より属性情報を取得すると（Ｓ７０１）、取得した属性情報を課金管理装置５００へ送信する（Ｓ７０２）。図７のＳ７０３からＳ７１１までの処理は、図５のＳ５０２からＳ５１０の処理と同様である。
【００６１】
印刷物販売装置３００Ａは、印刷物の出力が終了した後、印刷物の印刷部数、印刷枚数、印刷日時等を示す出力履歴を課金管理装置５００へ送信する（Ｓ７１２）。
【００６２】
課金管理装置５００は、出力履歴管理部３５０Ａにより、送信された出力履歴を取得する。そして集計部３６０Ａにより、出力された印刷物に対する販売価格等の集計を行う（Ｓ７１３）。次に課金管理装置５００は、集計された販売金額の請求形態に確認する（Ｓ７１４）。尚請求形態の具体例は後述する。
【００６３】
Ｓ７１４において、請求形態が、その場で販売金額の請求を行う形態となっていた場合、請求処理部３７０Ａは、請求処理を行う（Ｓ７１５）。請求処理の具体例については後述する。またＳ７１０において請求形態が、その場で販売金額の請求を行わない形態となっていた場合、販売記録管理部５２０は、販売記録情報を作成し（Ｓ７１６）、データベース５１０へ格納する。販売記録情報の作成の詳細は後述する。販売記録情報を作成した後、請求処理部３７０Ａは、販売記録情報に基づき、所定のタイミングで請求処理を行う（Ｓ７１７）。
【００６４】
以下に請求形態の具体例について説明する。本実施形態では、例えば集計部３６０Ａにより集計された販売価格の請求形態として、印刷物が出力されたときにその場で請求する形態（以下、第一の請求形態）と、印刷物が出力される度に集計される販売価格を販売記録情報として記録しておき、毎月所定日にまとめて請求する形態（以下、第二の請求形態）とがある。本実施形態の請求処理部３７０Ａは、各請求形態に合わせて、請求処理を行っても良い。
【００６５】
以下に、第一の請求形態であった場合の請求処理部３７０Ａの請求処理について説明する。本実施形態の請求処理部３７０Ａは、第一の請求形態であった場合、集計部３６０Ａにより集計された販売価格の情報を印刷物販売装置３００Ａに送信する。印刷物販売装置３００Ａでは、送信された販売価格を表示制御部３２０により操作パネル３８へ表示させて、購入者に支払いを促しても良い。
【００６６】
次に請求形態が第二の請求形態であった場合の請求処理部３７０Ａの請求処理について説明する。第二の請求形態の場合、課金管理装置５００は、販売記録管理部５２０により販売記録情報を作成し、データベース５１０へ格納する。販売記録管理部５２０は、例えば印刷物販売装置３００Ａから送信される属性情報と、出力履歴管理部３５０Ａが取得した出力履歴と、集計部３６０Ａで集計した販売価格とを用いて販売記録情報を作成しても良い。本実施形態の販売記録管理部５２０は、印刷物が出力される度にデータベース５１０内の販売記録情報を更新することが好ましい。
【００６７】
請求処理部３７０Ａは、例えば予め設定された毎月の請求日等に、データベース５１０内の販売記録情報を用いて作成した請求書を購入者に対して発行しても良い。請求書の発行方法としては、例えば請求書のフォーマットを印刷物販売装置３００Ａへ送信し、印刷物販売装置３００Ａから出力させても良い。また例えば作成した請求書を課金管理装置５００に予め登録された購入者の電子メールアドレスへ送信しても良い。また本実施形態の課金管理装置５００では、予め登録された購入者の電子マネー口座より、請求書により請求される金額の決済を行っても良い。
【００６８】
また本実施形態において、印刷物販売装置３００Ａが、ログインや社員カードなどのＩＣカードの読み取り等により、操作者（購入者）を特定できる印刷物販売装置である場合、印刷物販売装置３００Ａは個人ＩＤやグループＩＤを出力履歴として取得する。そして課金管理装置５００における請求処理部３７０Ａによる請求処理の際に、販売記録情報から個人ＩＤやグループＩＤで特定の購入者の販売記録情報を抽出し、購入者、購入グループ毎に請求を行っても良い。
【００６９】
尚本実施形態の印刷物販売システム１００Ａでは、複数台の印刷物販売装置３００Ａがネットワーク４００に接続されており、一台の課金管理装置５００により複数台の印刷物販売装置３００Ａの販売記録を管理しても良い。
【００７０】
また本実施形態の課金管理装置５００の有する機能は、コンテンツ提供サーバ２００に備えられていても良い。この場合課金管理装置５００の代わりにコンテンツ提供サーバ２００が販売記録情報の管理を行うため、課金管理装置５００はネットワーク４００に接続されていなくても良い。
【００７１】
以上に説明したように、本実施形態によれば、購入者が簡単に素早く安価に必要な情報を得ることができ、且つ購入者に対する請求も簡単に行うことができる。さらに本実施形態によれば、印刷物販売装置３００Ａ、コンテンツ提供サーバ２００から販売記録情報を参照することができるため、購入者は自分が購入したコンテンツの履歴を簡単に閲覧することができる。
（第三の実施形態）
以下に図面を参照して本発明の第三の実施形態について説明する。第三の実施形態では、課金に係る課金管理を行う代わりに、印刷物に販売価格を示す情報を印刷する点が第一の実施形態と相違する。よって以下の第三の実施形態の説明では、第一の実施形態の相違点についてのみ説明し、第一の実施形態と同様の機能構成を有するものに第一の実施形態の説明で用いた符号と同様の符号を付与し、説明を省略する。
【００７２】
図８は、第三の実施形態の印刷物販売システム１００Ｂのシステム構成及び各装置の機能構成を示す図である。本実施形態の印刷物販売システム１００Ｂは、コンテンツ提供サーバ２００と印刷物販売装置３００Ｂにより構成される。
【００７３】
本実施形態の印刷物販売装置３００Ｂは、第一の実施形態の印刷物販売装置３００の有する出力履歴管理部３５０、集計部３６０、請求処理部３７０を有する代わりに、価格画像処理部３９１を有する。
【００７４】
本実施形態の価格画像処理部３９１は、属性情報に含まれるコンテンツの価格を示す情報（以下、販売価格情報）に基づき、コンテンツの販売価格を示す画像データ（以下、価格画像データ）を生成する。そして本実施形態の印刷物販売装置３００Ｂは、コンテンツを印刷して出力する際に、コンテンツの価格画像データも印刷する。コンテンツの価格画像データとは、例えばバーコードやＱＲコード（二次元コード）等である。
【００７５】
次に本実施形態の印刷物販売システム１００Ｂの動作を説明する。図９は、第三の実施形態の印刷物販売システム１００Ｂの動作を説明するフローチャートである。
【００７６】
図９のＳ９０１からＳ９０９までの処理は、第一の実施形態で説明した図５のＳ５０１からＳ５０９までの処理と同様であるから説明を省略する。
【００７７】
Ｓ９０９においてコンテンツ取得部３４０により対応するコンテンツを取得すると、価格画像処理部３９１は、Ｓ９０３で選択された属性情報から、取得したコンテンツの販売価格情報を抽出する。そして抽出した販売価格情報に基づき、コンテンツの価格画像データを生成する（Ｓ９１０）。
【００７８】
次に印刷物販売装置３００Ｂは、コンテンツを印刷する際に、コンテンツと共にＳ９１０で生成された価格画像データを印刷して出力する（Ｓ９１１）。図１０では、販売価格を示す画像データが印刷された印刷物の一例を示している。図１０に示す印刷物１１では、コンテンツ１２と価格画像データ１３とが印刷されている。図１０の例では、価格画像データ１３はバーコードである。
【００７９】
このように本実施形態では、印刷物を出力する際に価格画像データをコンテンツと共に印刷する。よって本実施形態の印刷物販売装置３００Ｂがコンビニエンスストア等のレジスタを用いる店舗に設置された場合、この価格画像データを用いて印刷物の代金の支払いを行うことができる。このため本実施形態によれば、広く普及している店舗のレジスタを利用して印刷物の販売を行うことができ、購入者は簡単に印刷物を購入することができる。
（第四の実施形態）
以下に図面を参照して本発明の第四の実施形態について説明する。第四の実施形態では、定期的なコンテンツを取得できる点が第一の実施形態と相違する。よって以下の第四の実施形態の説明では、第一の実施形態の相違点についてのみ説明し、第一の実施形態と同様の機能構成を有するものに第一の実施形態の説明で用いた符号と同様の符号を付与し、説明を省略する。
【００８０】
図１１は、第四の実施形態の印刷物販売システム１００Ｃのシステム構成図及び各装置の機能構成を示す図である。本実施形態の印刷物販売装置３００Ｃでは、第一の実施形態の印刷物販売装置３００の有する各部に加え、日付照合部３９２、要求送信部３９３、状態判定部３９４、空容量判定部３９５を有する。
【００８１】
本実施形態の印刷物販売装置３００Ｃでは、購入者により予め購入したい所望のコンテンツが登録されている。印刷物販売装置３００Ｃは登録されたコンテンツの発行日になると、コンテンツ提供サーバ２００へアクセスし、該当するコンテンツを取得して出力する。よって本実施形態では、購入者は定期的に購読したい所望のコンテンツを印刷物販売装置３００Ｃに登録するだけで、所望のコンテンツを定期購読することができる。尚本実施形態の印刷物販売装置３００Ｃでは、購入者に登録されたコンテンツの情報は補助記憶装置３４等に保管されていても良い。
【００８２】
日付照合部３９２は、現在の日付と、購入者により登録されたコンテンツの属性情報に含まれる発行日との照合を行う。本実施形態では、現在の日付と登録されたコンテンツの発行日とが一致したとき、印刷物販売装置３００Ｃがコンテンツ提供サーバ２００から該当するコンテンツを取得する。
【００８３】
要求送信部３９３は、所望のコンテンツの取得要求をコンテンツ提供サーバ２００へ送信する。状態判定部３９４は、印刷物販売装置３００Ｃの状態が印刷物の出力が可能な状態であるか否かを判定する。空容量判定部３９５は、印刷物販売装置３００Ｃの有する記憶装置の空容量が十分である否かの判定を行う。尚判定対象となる記憶装置は、例えば補助記憶装置３４等である。
【００８４】
次に本実施形態の印刷物販売システム１００Ｃの動作を説明する。図１２は、第四の実施形態の印刷物販売システム１００Ｃの動作を説明するフローチャートである。
【００８５】
図１２のＳ１２０１とＳ１２０２の処理は、図５のＳ５０１とＳ５０２の処理同様であるから説明を省略する。
【００８６】
属性情報取得部３１０が属性情報を取得すると、日付照合部３９２は、購入者により登録されたコンテンツの属性情報に含まれる発行日を示す日付と、現在の日付との照合を行う（Ｓ１２０３）。Ｓ１２０３において、照合の結果２つの日付が一致した場合、印刷物販売装置３００Ｃは、現在の日付が登録されたコンテンツの発行日であることがわかる。状態判定部３９４は、印刷物販売装置３００Ｃが印刷可能な状態か否かを判定する（Ｓ１２０４）。状態判定部３９４は、例えば印刷物販売装置３００Ｃの給紙トレー等に設置された印刷媒体（印刷用紙等）が不足している場合等に、印刷不可能と判定する。
【００８７】
Ｓ１２０４において、印刷可能と判定された場合、要求送信部３９３は、コンテンツ提供サーバ２００へコンテンツ取得要求を送信する（Ｓ１２０５）。コンテンツ取得要求を送信した後の処理は、図５のＳ５０４以降の処理と同様である。
【００８８】
Ｓ１２０４において、印刷不可能と判定された場合、空容量判定部３９５は、印刷物販売装置３００Ｃの補助記憶装置３４等に十分な空容量があるか否かを判定する（Ｓ１２０６）。尚本実施形態の印刷物販売装置３００Ｃでは、予め基準となる容量が設定されており、設定された容量よりも空容量が少ないか否かにより、空容量が十分であるか否かを判定しても良い。また本実施形態の空容量判定部３９５では、前回購入者所望のコンテンツを取得した際にコンテンツのデータサイズを保持しておき、空容量が保持されたデータサイズよりも大きい場合、空容量が十分と判定しても良い。
【００８９】
Ｓ１２０６において空容量が十分と判定された場合、要求送信部３９３はコンテンツ取得要求をコンテンツ提供サーバ２００へ送信する（Ｓ１２０７）。コンテンツ提供サーバ２００は、コンテンツ検索部２３０により、対応するコンテンツを検索する（Ｓ１２０８）。コンテンツ取得部３４０は、検索されたコンテンツを取得する（Ｓ１２０９）。印刷物販売装置３００Ｃでは、取得したコンテンツを補助記憶装置３４等に保管する（Ｓ１２１０）。
【００９０】
コンテンツが保管された後、状態判定部３９４は再度印刷可能か否かの判定を行う（Ｓ１２１１）。そして印刷可能となった場合、図５のＳ５０６以降の処理を実行する。
【００９１】
Ｓ１２０６において空容量が不十分と判定された場合、表示制御部３２０は、操作パネル３８に空容量不足であることを示す警告を表示させ、購入者により保管されたコンテンツの出力を促す。
【００９２】
このように本実施形態によれば、購入者は、コンテンツを定期購読する際にも、簡単に安価で必要な情報を得ることができる。
【００９３】
尚本実施形態の印刷物販売装置３００Ｃでは、印刷物を出力する際に、自動的に出力するか、又は操作パネル３８の指示により出力を行うかが設定されていても良い。また本実施形態の印刷物販売装置３００Ｃにおいて、ログイン機能等により、コンテンツの購入者を特定できる場合、設定により購入者にメール等で定期購読コンテンツの着信を通知しても良い。
【００９４】
尚本実施形態では、日付照合部３９２による照合結果が一致した場合に、印刷物販売装置３００Ｃからコンテンツ提供サーバ２００へコンテンツの取得要求を送信するものとしたが、これに限定されない。例えばコンテンツ提供サーバ２００が日付照合部３９２の機能を備えていても良い。この場合コンテンツ提供サーバ２００へ購入者により予め定期購読したいコンテンツが登録されていることが好ましい。コンテンツ提供サーバ２００は、現在の日付と、登録されたコンテンツの属性情報に含まれる発行日とが一致したとき、登録されたコンテンツを印刷物販売装置３００Ｃへ送信しても良い。
（第五の実施形態）
以下に図面を参照して本発明の第五の実施形態について説明する。第五の実施形態では、コンテンツを細分化して取得できる点が第一の実施形態と相違する。よって以下の第五の実施形態の説明では、第一の実施形態の相違点についてのみ説明し、第一の実施形態と同様の機能構成を有するものに第一の実施形態の説明で用いた符号と同様の符号を付与し、説明を省略する。
【００９５】
図１３は、第五の実施形態の印刷物販売システム１００Ｄのシステム構成図及び各装置の機能構成を示す図である。本実施形態の印刷物販売装置３００Ｄでは、第一の実施形態の印刷物販売装置３００の有する各部に加え、選択用画像処理部３９６、抽出処理部３９７を有する。
【００９６】
本実施形態では、購入者により属性情報が選択されると、選択された属性情報に対応したコンテンツの目次を含むコンテンツ選択用の用紙（以下、選択用紙）が印刷物販売装置３００Ｄから出力される。購入者は、この選択用紙を用いてコンテンツの中から所望の部分を選択する。印刷物販売装置３００Ｄは、購入者の選択結果が記入された選択用紙を読み取り、読み取った情報と対応するコンテンツを印刷物として出力する。
【００９７】
本実施形態の印刷物販売装置３００Ｄにおいて、選択用画像処理部３９６は、選択用紙として出力される画像データを生成する。具体的には選択用画像処理部３９６は、購入者により選択された属性情報に含まれるコンテンツの名称、目次、概要等の情報を用いて、選択用紙に印刷される画像データを生成する。尚本実施形態において、選択用紙に印刷される属性情報の項目は、予め設定されていても良い。
【００９８】
抽出処理部３９７は、選択用紙に記入された購入者の購入指示を抽出する。購入者による選択結果が記入された選択用紙は、印刷物販売装置３００Ｄにおいて入力装置３１（スキャン装置）により読み取られて画像データ（以下、選択画像データ）とされる。本実施形態の抽出処理部３９７は、選択画像データから購入者の選択結果を抽出する処理を行う。
【００９９】
次に本実施形態の印刷物販売システム１００Ｄの動作を説明する。図１４は、第五の実施形態の印刷物販売システム１００Ｄの動作を説明するフローチャートである。図１４（Ａ）は、選択用紙が出力されるまでの動作を示し、図１４（Ｂ）は選択用紙が読み取られた後の動作を示す。
【０１００】
図１４（Ａ）のＳ１４０１からＳ１４０３までの処理は、図５のＳ５０１からＳ５０３までの処理と同様であるから説明を省略する。Ｓ１４０３において属性情報が選択されると、選択用画像処理部３９６は、選択された属性情報を用いて選択用紙を印刷するための画像データを生成する。生成された画像データは、出力装置３２により印刷されて出力される（Ｓ１４０４）。
【０１０１】
図１５は、印刷された選択用紙の一例を示す図である。図１５の例では、選択用紙１５にコンテンツの内容が細分化して示された目次の見出し及びページ数を示す情報１６が印刷されている。また選択用紙１５には、購入者によりチェックが記入されるチェックボックス１７が見出し毎に印刷されている。購入者は、見出し毎に設けられたチェックボックス１７にチェックを記入することで、コンテンツの中から所望のページ数を選択することができる。
【０１０２】
図１４に戻って、本実施形態において選択用紙１５が読み取られた後の動作を説明する。本実施形態において、購入者所望の箇所にチェックが記入された選択用紙１５が入力装置３１により読み取られて選択画像データとされる（Ｓ１４０５）。印刷物販売装置３００Ｄは、選択画像データを取得すると、抽出処理部３９７により購入者が記入した選択結果を抽出する（Ｓ１４０６）。
【０１０３】
選択結果が抽出されると、表示制御部３２０は選択結果を操作パネル３８に表示させる（Ｓ１４０７）。そして購入者により、表示された選択結果が正しいことが確認された場合、印刷物販売装置３００Ｄはこの選択結果をコンテンツ提供サーバ２００へ送信する（Ｓ１４０８）。コンテンツ提供サーバ２００へ選択結果が送信された後は、図５のＳ５０４以降の処理と同様である。尚選択結果が正しいことが確認された場合とは、例えば購入者により操作パネル３８により選択結果を承認する指示がなされた場合等である。
【０１０４】
このように本実施形態では、コンテンツの内容を細分化して、コンテンツの必要な一部を印刷し購入することができる。よって購入者は、簡単に安価で必要な情報のみを入手することができる。また本実施形態では、必要な部分のみを印刷物として出力するため、紙資源の消費を低減することができ、かつ情報の氾濫を抑制することができる。
（第六の実施形態）
以下に図面を参照して本発明の第六の実施形態について説明する。第六の実施形態では、第五の実施形態と同様にコンテンツを細分化して取得できる点が第一の実施形態と相違する。よって以下の第六の実施形態の説明では、第一の実施形態の相違点についてのみ説明し、第一の実施形態と同様の機能構成を有するものに第一の実施形態の説明で用いた符号と同様の符号を付与し、説明を省略する。
【０１０５】
図１６は、第六の実施形態の印刷物販売システム１００Ｅのシステム構成図及び各装置の機能構成を示す図である。本実施形態の印刷物販売装置３００Ｅでは、第一の実施形態の印刷物販売装置３００の有する各部に加え、範囲受付部４１１、画像処理部４１２、ラック制御部４１３を有する。また本実施形態の印刷物販売装置３００Ｅには、コンテンツの代金の支払いに用いられるコインラック４２０が接続されている。コインラック４２０は、例えば硬貨の投入口が設けられており、投入された硬貨の種類の判別、硬貨の数のカウント等を行う。
【０１０６】
本実施形態では、印刷物販売装置３００Ｅにおいて表示されたコンテンツから選択された範囲のみを出力する。本実施形態は、例えば購入対象となるコンテンツが地図情報等である場合に適用されることが好ましい。
【０１０７】
範囲受付部４１１は、操作パネル３８に表示されたコンテンツから、購入対象となるコンテンツの範囲指定を受け付ける。画像処理部４１２は、範囲受付部４１１により受け付けられた範囲の画像を適切に出力するための画像処理を行う。具体的には画像処理部４１２は、例えば範囲受付部４１１が受け付けた範囲の画像データに対し、印刷用紙に合わせて拡大又は縮小などの画像処理を施す。
【０１０８】
ラック制御部４１３は、コインラック４２０の制御を行う。ラック制御部４１３は、例えばコインラック４２０の状態の制御、コインラック４２０におけるコイン投入状態の参照等を行う。コインラック４２０の状態の制御とは、例えばコインラック４２０をコイン投入可能な状態にする制御、コインラック４２０をコイン投入不可能な状態にする制御等である。またコイン投入状態の参照とは、例えばコインラック４２０において判別された硬貨の種類、カウントされた硬貨の数等の情報を参照する。
【０１０９】
次に本実施形態の印刷物販売システム１００Ｅの動作を説明する。図１７は、第六の実施形態の印刷物販売システム１００Ｅの動作を説明するフローチャートである。
【０１１０】
図１７のＳ１７０１からＳ１７０５までの処理は、図５のＳ５０１からＳ５０５までの処理と同様である。Ｓ１７０５においてコンテンツを取得すると、表示制御部３２０は取得したコンテンツを操作パネル３８へ表示させる（Ｓ１７０６）。
【０１１１】
購入者により、操作パネル３８上に表示されたコンテンツから購入するコンテンツの範囲が選択されると、範囲受付部４１１は選択された範囲を購入範囲として受け付ける（Ｓ１７０７）。購入範囲が決定されると、集計部３６０はＳ１７０３で選択された属性情報とＳ１７０７で決定された購入範囲とから、コンテンツの販売価格を集計する（Ｓ１７０８）。
【０１１２】
コンテンツの販売価格が集計されると、請求処理部３７０は販売価格の請求処理を行う（Ｓ１７０９）。具体的には請求処理部３７０は、集計された販売価格を操作パネル３８に表示させる。
【０１１３】
販売価格の請求処理を行った後、ラック制御部４１３はコインラック４２０におけるコイン投入状態を参照し、販売価格分の硬貨が投入された否かを判定する（Ｓ１７１０）。Ｓ１７１０において販売価格分の硬貨が投入され、支払いが完了した場合、画像処理部４１２は、コンテンツから購入範囲の画像データを抽出し、適切な画像処理を行う（Ｓ１７１１）。画像処理を行った後の処理は、図５のＳ５０６以降の処理と同様である。
【０１１４】
ここで、本実施形態においてコンテンツが地図情報である場合の例を説明する。
【０１１５】
例えばＳ１７０３において特定地域（以下、地域Ａ）の地図情報の属性情報が選択されたとする。すると本実施形態の印刷物販売装置３００Ｅは、地域Ａの地図情報を取得して操作パネル３８に表示させる。
【０１１６】
本実施形態では、例えば購入者が地域Ａの中でも地区ａの詳細な地図情報を所望した場合に、購入者は表示された地域Ａの地図情報から地区ａに該当する位置をタッチすることにより、拡大された地区ａの地図情報を表示させる。尚本実施形態では、購入範囲を決定するまでの表示画像の拡大、縮小の処理等は表示制御部３２０が行っても良い。また本実施形態では、例えば操作パネル３８に地図情報と共に十字キー等が表示されており、この十字キーの操作により表示された地図情報の上下左右へのスクロールが行われても良い。
【０１１７】
また本実施形態では、操作パネル３８に地図情報と共に範囲確定キーが表示されていても良い。例えば購入者が購入範囲の選択を終了した際に、この範囲確定キーにタッチする等の操作をすることにより、範囲受付部４１１は購入範囲の決定を受け付けても良い。
【０１１８】
尚本実施形態では、印刷物の支払いを行う手段をコインラック４２０に対する硬貨の投入としたが、これに限定されない。本実施形態の印刷物販売装置３００Ｅは、例えばコインラック４２０の代わりに、ＩＣカートや携帯電話を用いた電子マネーによる支払いを受け付ける手段が備えられていても良い。
【０１１９】
このように本実施形態では、コンテンツを細分化して必要な部分のみを印刷物として出力する。よって本実施形態によれば、購入者は、単に安価で必要な情報のみを入手することができる。また本実施形態によれば、必要な部分のみを印刷物として出力するため、紙資源の消費を低減することができ、かつ情報の氾濫を抑制することができる。
【０１２０】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【産業上の利用可能性】
【０１２１】
本発明は、印刷物を販売するシステムにおいて利用できる。
【図面の簡単な説明】
【０１２２】
【図１】本発明の基本的なシステム構成を示す図である。
【図２】コンテンツ提供サーバ２００のハードウェア構成の一例を示す図である。
【図３】印刷物販売装置３００のハードウェア構成の一例を示す図である。
【図４】第一の実施形態の印刷物販売システム１００を構成する装置の機能構成を示す図である。
【図５】第一の実施形態の印刷物販売システム１００の動作を説明するフローチャートである。
【図６】第二の実施形態の印刷物販売システム１００Ａのシステム構成及び各装置の機能構成を示す図である。
【図７】第二の実施形態の印刷物販売システム１００Ａの動作を説明するフローチャートである。
【図８】第三の実施形態の印刷物販売システム１００Ｂのシステム構成及び各装置の機能構成を示す図である。
【図９】第三の実施形態の印刷物販売システム１００Ｂの動作を説明するフローチャートである。
【図１０】販売価格を示す画像データが印刷された印刷物の一例を示す図である。
【図１１】第四の実施形態の印刷物販売システム１００Ｃのシステム構成図及び各装置の機能構成を示す図である。
【図１２】第四の実施形態の印刷物販売システム１００Ｃの動作を説明するフローチャートである。
【図１３】第五の実施形態の印刷物販売システム１００Ｄのシステム構成図及び各装置の機能構成を示す図である。
【図１４】第五の実施形態の印刷物販売システム１００Ｄの動作を説明するフローチャートである。
【図１５】印刷された選択用紙の一例を示す図である。
【図１６】第六の実施形態の印刷物販売システム１００Ｅのシステム構成図及び各装置の機能構成を示す図である
【図１７】第六の実施形態の印刷物販売システム１００Ｅの動作を説明するフローチャートである。
【符号の説明】
【０１２３】
１００、１００Ａ〜１００Ｅ  印刷物販売システム
２００  コンテンツ提供サーバ
２１０、５１０  データベース
３００、３００Ａ〜３００Ｅ  印刷物販売装置
３１０  属性情報取得部
３２０  表示制御部
３３０  購入指示受付部
３４０  コンテンツ取得部
３５０  出力履歴管理部
３６０  集計部
３７０  請求処理部
３８０  地紋処理部
３９０  仕上げ処理部
４００  ネットワーク
５００  課金管理装置
【図１】
2009238169.tif 000003
【図２】
2009238169.tif 000004
【図３】
2009238169.tif 000005
【図４】
2009238169.tif 000006
【図５】
2009238169.tif 000007
【図６】
2009238169.tif 000008
【図７】
2009238169.tif 000009
【図８】
2009238169.tif 000010
【図９】
2009238169.tif 000011
【図１０】
2009238169.tif 000012
【図１１】
2009238169.tif 000013
【図１２】
2009238169.tif 000014
【図１３】
2009238169.tif 000015
【図１４】
2009238169.tif 000016
【図１５】
2009238169.tif 000017
【図１６】
2009238169.tif 000018
【図１７】
2009238169.tif 000019